(57)【要約】【課題】複数の再生型水処理装置を備える水処理システムにおいて、複数の再生型水処理装置を備える水処理システムにおいて、水処理システムを構成する装置の洗浄動作や再生動作に入るタイミングを一括して制御する制御装置を別途設けることなく、複数の再生型水処理装置間で再生動作の重複を起こさずに複数の再生型水処理装置の再生動作を制御することができること。【解決手段】再生型水処理装置は、水処理装置群を構成する再生型水処理装置であって、自装置の運転情報を他の再生型水処理装置に送信する送信部と、前記他の再生型水処理装置の運転情報を受信する受信部と、前記受信部により受信された前記運転情報を記録する記録部と、を備え、前記運転情報は、再生を行うことを示す情報である再生工程情報と、優先順位を特定することが可能な情報である優先順位情報と、を含む。【選択図】図２
2019115885.tif 000002
【特許請求の範囲】
【請求項１】
水処理装置群を構成する再生型水処理装置であって、
自装置の運転情報を他の再生型水処理装置に送信する送信部と、
前記他の再生型水処理装置の運転情報を受信する受信部と、
前記受信部により受信された前記運転情報を記録する記録部と、
を備え、
前記運転情報は、再生を行うことを示す情報である再生工程情報と、優先順位を特定することが可能な情報である優先順位情報と、を含む、
再生型水処理装置。
【請求項２】
自装置が再生を開始することが可能である条件が成立したときに、前記記録部に記録された前記他の再生型水処理装置の前記運転情報に再生工程情報が含まれる場合、自装置の優先順位と前記他の再生型水処理装置の前記運転情報に含まれる優先順位情報により特定される優先順位とに基づいて、自装置の優先順位が再生を許容される順位であるか否かを判定する判定部と、
前記判定部により自装置の優先順位が再生を許容される順位であると判定された場合には再生を開始し、前記判定部により自装置の優先順位が再生を許容される順位ではないと判定された場合には再生を開始しない再生工程制御部と、
を備える請求項１に記載の再生型水処理装置。
【請求項３】
前記判定部は、同時に再生を行うことが可能な装置の最大数と、自装置の優先順位と、前記記録部に記録された前記他の再生型水処理装置の前記運転情報に含まれる前記優先順位情報とにより特定される優先順位に基づいて、優先順位が高い方から低い方に向かって前記最大数までに自装置の優先順位が含まれるときに、自装置の優先順位が再生を許容される順位であると判定する、
請求項２に記載の再生型水処理装置。
【請求項４】
前記判定部は、自装置が再生工程を行っているときに、前記記録部に記録された前記他の再生型水処理装置の前記運転情報に前記再生工程情報が含まれる場合、自装置の優先順位と前記他の再生型水処理装置の前記運転情報に含まれる前記優先順位情報とにより特定される優先順位に基づいて、自装置の優先順位が再生を許容される順位であるか否かを判定し、
前記再生工程制御部は、前記判定部により自装置の優先順位が再生を許容される順位ではないと判定された場合には再生を中止する、
請求項２または請求項３に記載の再生型水処理装置。
【請求項５】
前記運転情報は、前記再生型水処理装置の種別が再生を行う装置であることを示す情報である装置種別情報をさらに含み、
前記判定部は、前記装置種別情報が含まれる前記運転情報に基づいて判定を行う、
請求項２から請求項４のいずれか１項に記載の再生型水処理装置。
【請求項６】
前記再生型水処理装置の前記運転情報は、当該再生型水処理装置の通信ＩＤを用いて通信され、
前記再生型水処理装置の優先順位は、前記通信ＩＤに基づいて特定される、
請求項２から請求項５のいずれか１項に記載の再生型水処理装置。
【請求項７】
前記再生型水処理装置は、軟水装置又は塔式濾過装置である、
請求項１から請求項６のいずれか１項に記載の再生型水処理装置。
【発明の詳細な説明】
【技術分野】
【０００１】
本発明は、再生型水処理装置に関する。
【背景技術】
【０００２】
本明細書では、水処理を行う装置を水処理装置という。水処理装置には、例えば、濾過装置や軟水装置がある。また、本明細書では、水処理能力を回復させる動作を行う水処理装置を再生型水処理装置という。例えば、濾過装置は、洗浄動作により水処理能力（濾過能力）を回復させる再生型水処理装置である。ここで洗浄動作とは、濾材によって捕捉された懸濁物質や有機物などを洗浄・除去することである。軟水装置は、陽イオン交換の再生動作により水処理能力（軟水化能力）を回復させる再生型水処理装置である。ここで陽イオン交換の再生動作とは、陽イオン交換体に吸着したカルシウムなどの硬度成分を再生剤（例えば、塩水）を用いて除去・再生することである。
【０００３】
従来、地下水等の原水に含まれる懸濁物質（例えば、微粒子、有機物等）、及び溶存鉄・溶存マンガンを、濾材（濾材層）により捕捉して濾過処理水を製造する濾過装置を備えた濾過システムが提供されている（例えば、特許文献１、２参照）。
また、原水を陽イオン交換体に導入してイオン交換処理することにより、原水から硬度成分を除去して軟水化処理を行う軟水装置が提供されている（例えば、特許文献３参照）。
【０００４】
特許文献１〜２に記載の濾過装置の濾材層は、捕捉した懸濁物質等の増加に伴い、次第に捕捉能力（濾過能力）が低下する。特許文献１〜２に記載の濾過装置を濾材層の捕捉能力が低下したまま使用すると、処理水に懸濁物質等が漏れてしまい、処理水の水質が悪化する。また、特許文献３に記載の濾過装置の陽イオン交換体は、捕捉した硬度成分の増加に伴い、次第に捕捉能力（イオン交換能力）が低下する。陽イオン交換体の捕捉能力が低下したまま特許文献３に記載の濾過装置を使用すると、処理水に硬度成分が漏れてしまい、処理水の水質が悪化する。
【０００５】
そのため、水処理システムにおいては、処理水の流路に接続した水質計（例えば、濁度計や硬度計）により濁度や硬度などの処理水の水質を計測している。こうした水処理システムにおいては、水質計により計測された水質が、所定の水質を満たしていない場合には、逆洗工程及び水洗工程からなる濾材の洗浄動作が実施されるよう制御されている。特許文献３に記載の軟水化処理装置においては、再生剤（例えば、塩水）を用いて陽イオン交換体を再生する再生動作が実施されるように制御されている。
また、通水量を流量計で測定し、通水量の積算値が設定値に達した時点で陽イオン交換体の再生を行う流量再生方式、及び前回の再生動作が終了して所定時間経過した時点で再生を行う時間再生方式（タイマー方式）が知られている（例えば、特許文献４参照）。
【０００６】
ところで、再生型水処理装置では、処理水を用いて洗浄動作や再生動作を実施する場合、洗浄動作や再生動作に先立って、洗浄動作や再生動作に必要な処理水を予め製造し、処理水タンクに供給（補水）しておく必要があった。また、再生型水処理装置では、洗浄動作や再生動作では一時的に排水量が増加していた。複数の再生型水処理装置を備える水処理システムでは、複数の再生型水処理装置が同時に洗浄動作や再生動作を行い、処理水量の供給不足や排水の能力不足を引き起こす場合があった。
また、洗浄動作の実施要求や再生動作の実施要求がなされるときには、再生型水処理装置の捕捉能力が既に低下している。そのため、洗浄動作の実施要求や再生動作の実施要求が同時になされると、洗浄動作や再生動作の実施によって、処理水に漏れる成分の質や量が異なり、安定した水質の処理水の製造ができなくなる場合があった（例えば、特許文献５参照）。
複数の再生型水処理装置を備えるシステムでは、複数の再生型水処理装置が同時に洗浄動作や再生動作を行うことにより、処理水量の供給不足や排水の能力不足が生じる場合や、安定した水質の処理水の製造ができなくなる場合があるため、システムの各部を制御する制御装置が別途設けられ、複数の再生型水処理装置の洗浄動作や再生動作に入るタイミングは一括して制御されていた。
【先行技術文献】
【特許文献】
【０００７】
【特許文献１】特開昭６２−１９１０１４号公報
【特許文献２】特開２００３−１９０９７３号公報
【特許文献３】特開２００１−１３７８４６号公報
【特許文献４】特開２００２−４５８５２号公報
【特許文献５】特開２０１１−１９４２７３号公報
【発明の概要】
【発明が解決しようとする課題】
【０００８】
複数の再生型水処理装置から構成される水処理システムにおいて、別途設けられる制御装置は、多数のバルブ等の機器及び計測装置と接続され、水処理システムの運転を制御すると共に、複数の再生型水処理装置の優先順位に基づいて再生動作を制御する。このため、制御装置は水処理システムの構成に応じて設計される必要があり、制御装置の設計には時間と労力が必要とされる。また、再生型水処理装置の増設や交換の際には、制御装置の改修が必要となる場合があった。
【０００９】
本発明は上記の点に鑑みてなされたものであり、複数の再生型水処理装置を備える水処理システムにおいて、水処理システムを構成する装置の洗浄動作や再生動作に入るタイミングを一括して制御する制御装置を別途設けることなく、複数の再生型水処理装置間で再生動作の重複を起こさずに複数の再生型水処理装置の再生動作を制御することができる再生型水処理装置を提供する。
【課題を解決するための手段】
【００１０】
本発明は上記の課題を解決するためになされたものであり、本発明の一態様は、水処理装置群を構成する再生型水処理装置であって、自装置の運転情報を他の再生型水処理装置に送信する送信部と、前記他の再生型水処理装置の運転情報を受信する受信部と、前記受信部により受信された前記運転情報を記録する記録部と、を備え、前記運転情報は、再生を行うことを示す情報である再生工程情報と、優先順位を特定することが可能な情報である優先順位情報と、を含む、再生型水処理装置である。
【００１１】
また、本発明の一態様は、上記の再生型水処理装置において、自装置が再生を開始することが可能である条件が成立したときに、前記記録部に記録された前記他の再生型水処理装置の前記運転情報に再生工程情報が含まれる場合、自装置の優先順位と前記他の再生型水処理装置の前記運転情報に含まれる優先順位情報により特定される優先順位とに基づいて、自装置の優先順位が再生を許容される順位であるか否かを判定する判定部と、前記判定部により自装置の優先順位が再生を許容される順位であると判定された場合には再生を開始し、前記判定部により自装置の優先順位が再生を許容される順位ではないと判定された場合には再生を開始しない再生工程制御部と、を備える。
【００１２】
また、本発明の一態様は、上記の再生型水処理装置において、前記判定部は、同時に再生を行うことが可能な装置の最大数と、自装置の優先順位と、前記記録部に記録された前記他の再生型水処理装置の前記運転情報に含まれる前記優先順位情報とにより特定される優先順位に基づいて、優先順位が高い方から低い方に向かって前記最大数までに自装置の優先順位が含まれるときに、自装置の優先順位が再生を許容される順位であると判定する。
【００１３】
また、本発明の一態様は、上記の再生型水処理装置において、前記判定部は、自装置が再生工程を行っているときに、前記記録部に記録された前記他の再生型水処理装置の前記運転情報に前記再生工程情報が含まれる場合、自装置の優先順位と前記他の再生型水処理装置の前記運転情報に含まれる前記優先順位情報とにより特定される優先順位に基づいて、自装置の優先順位が再生を許容される順位であるか否かを判定し、前記再生工程制御部は、前記判定部により自装置の優先順位が再生を許容される順位ではないと判定された場合には再生を中止する。
【００１４】
また、本発明の一態様は、上記の再生型水処理装置において、前記運転情報は、前記再生型水処理装置の種別が再生を行う装置であることを示す情報である装置種別情報をさらに含み、前記判定部は、前記装置種別情報が含まれる前記運転情報に基づいて判定を行う。
【００１５】
また、本発明の一態様は、上記の再生型水処理装置において、前記再生型水処理装置の前記運転情報は、当該再生型水処理装置の通信ＩＤを用いて通信され、前記再生型水処理装置の優先順位は、前記通信ＩＤに基づいて特定される。
【００１６】
また、本発明の一態様は、上記の再生型水処理装置において、前記再生型水処理装置は、軟水装置又は塔式濾過装置である。
【発明の効果】
【００１７】
本発明によれば、複数の再生型水処理装置を備える水処理システムにおいて、水処理システムを構成する装置の洗浄動作や再生動作に入るタイミングを一括して制御する制御装置を別途設けることなく、複数の再生型水処理装置間で再生動作の重複を起こさずに複数の再生型水処理装置の再生動作を制御することができる。
【図面の簡単な説明】
【００１８】
【図１】本発明の実施形態に係る濾過システムの一例を示す図である。
【図２】本発明の実施形態に係る再生型水処理装置の構成の一例を示す図である。
【図３】本発明の実施形態に係る運転情報の内容を表す表の一例を示す図である。
【図４】本発明の実施形態に係るネットワーク配線の第１例を示す図である。
【図５】本発明の実施形態に係るネットワーク配線の第２例を示す図である。
【図６】本発明の実施形態に係る運転情報のデータの流れの一例を示す図である。
【図７】本発明の実施形態に係る再生型水処理装置の処理の一例を示す図である。
【発明を実施するための形態】
【００１９】
（実施形態）
以下、図面を参照しながら本発明の実施形態について詳しく説明する。図１は、本実施形態に係る水処理システム１の一例を示す図である。水処理システム１は、第１濾過装置２と、第１給水タンク３と、第２濾過装置４と、軟水装置５と、第２給水タンク６と、ボイラ７とを備える。水処理システム１は、一例として、ボイラ給水用の水処理システムである。水処理システム１では、原水Ｗ１が再生型水処理装置（第１濾過装置２、第２濾過装置４、軟水装置５）により処理され、処理水Ｗ５としてボイラ７に供給される。
水処理システム１では、複数の水処理装置が上流から下流にかけて直列に設置されているが、複数の水処理装置は上流から下流にかけて並列に設置される部分があってもよい。
【００２０】
第１濾過装置２と、第２濾過装置４と、軟水装置５とは、再生型水処理装置の一例である。ここで、再生型水処理装置とは、通水を行うことにより装置内に保持等した水中の不純物が一定レベルに達したとき、水処理能力を回復するために再生を行う水処理装置である。再生型水処理装置が行う工程には、待機、通水、再生の工程がある。待機の工程とは、通水が可能な状態において待機する工程である。通水の工程とは、処理水を供給する工程である。再生の工程とは、水処理能力を回復するために再生を行う工程である。
本実施形態においては、一例として、水処理システム１が再生型水処理装置として、第１濾過装置２と、第２濾過装置４と、軟水装置５との３台を備える場合について説明するが、水処理システム１が備える再生型水処理装置の台数は、３台以上であっても、３台以下であってもよい。
【００２１】
水処理システム１では、再生に必要な処理水は、第１給水タンク３、及び第２給水タンク６により供給される。第１給水タンク３、及び第２給水タンク６が同時に供給できる処理水の量は限られているため、水処理システム１では、同時に再生を行う再生型水処理装置の数には制限がある。この制限のため、水処理システム１では、再生型水処理装置の再生工程を制御する必要がある。
【００２２】
水処理システム１では、制御盤を設ける代わりに、再生型水処理装置同士が互いに通信を行うことにより各再生型水処理装置の制御が行われる。再生型水処理装置は、通信により他の再生型水処理装置の運転情報を受信する。ここで、運転情報とは、再生を行うことを示す情報や、再生型水処理装置間における優先順位を特定することが可能な情報である優先順位情報を含む。再生型水処理装置は、運転情報に基づいて自装置の再生を制御する。運転情報、及び再生型水処理装置の制御の詳細については後述する。
なお、水処理システム１では、再生型水処理装置の各々が処理水を供給することが可能である時間は、再生型水処理装置全ての再生に必要な時間よりも長いことが好ましい。
以下、水処理システム１における水処理の概要について説明する。
【００２３】
原水Ｗ１は、原水ラインＬ１を流通する。ここで原水Ｗ１とは、例えば、地下水である。また、本実施形態においてラインとは、流体の流通が可能である流路、経路、管路等である。
原水ラインＬ１には、上流側から順に原水ポンプＰ１、及び原水バルブＢ１が設けられている。原水ポンプＰ１は、第１濾過装置２の制御部と電気的に接続されている。原水ポンプＰ１は、第１濾過装置２によって運転を制御される。ここで運転とは、駆動、及び停止である。
原水バルブＢ１は、原水ラインＬ１において、第１接続点Ｊ１よりも上流側に設けられている。原水バルブＢ１は、原水ラインＬ１を開閉する。原水バルブＢ１は、第１濾過装置２の制御部と電気的に接続されている。原水バルブＢ１は、第１濾過装置２によって開閉を制御される。
【００２４】
第１濾過装置２は、塔式濾過装置である。塔式濾過装置には、砂濾過装置、除鉄・除マンガン濾過装置、活性炭を用いた濾過装置などがある。第１濾過装置２は、一例として、除鉄・除マンガン濾過装置である。
第１濾過装置２は、原水ラインＬ１の下流側の端部に設けられる。第１濾過装置２は、原水Ｗ１から第１濾過処理水Ｗ２を製造する。塔式濾過装置の再生の工程は、逆洗、休止、及び水洗からなる。第１濾過装置２は、逆洗水第１供給ラインＬ８から供給される逆洗水Ｗ６により逆洗を行う。ここで、逆洗水Ｗ６は、第１濾過処理水Ｗ２と、処理水Ｗ５とからなる。第１濾過処理水Ｗ２は、第１給水タンク３から第１逆洗水供給ラインＬ９を介して供給される。処理水Ｗ５は、第２給水タンク６から第２逆洗水供給ラインＬ１２を介して供給される。
第１逆洗バルブＢ７は、逆洗水第１供給ラインＬ８に設けられている。第１逆洗バルブＢ７は、逆洗水第１供給ラインＬ８を開閉する。第１逆洗バルブＢ７は、第１濾過装置２の制御部と電気的に接続されている。第１逆洗バルブＢ７は、第１濾過装置２によって開閉を制御される。
【００２５】
第１濾過装置２は、第１濾過塔２０と、第１コントロールバルブ２１と、第１排水ラインＬ２２とを備える。
第１濾過塔２０には、濾材が充填されている。第１濾過装置２は、第１濾過塔２０に充填された濾材により、原水Ｗ１に含まれる微粒子等の懸濁物質と共に、溶存鉄及び溶存マンガンを除去する。ここで濾材とは、一例として、粒子状のマンガンシャモットやマンガンゼオライトである。また、第１濾過装置２は、原水Ｗ１に含まれる溶存鉄及び溶存マンガンを酸化してから除去する。第１濾過装置２は、第１濾過塔２０の上流側に配置された薬剤添加装置（不図示）によって、酸化剤（例えば、次亜塩素酸ナトリウム）を添加する。
【００２６】
原水Ｗ１に含まれる溶存鉄は、薬剤添加装置によって添加される酸化剤の作用により酸化される。酸化された溶存鉄は、不溶性の水酸化第一鉄を経て水酸化第二鉄へと変化（すなわち、懸濁物質化）し、第１濾過塔２０に充填された濾材によって濾過される。原水Ｗ１に含まれる溶存マンガンは、薬剤添加装置によって添加される酸化剤の作用により、第１濾過塔２０に充填された濾材と接触したときに、酸化が進行し、濾材によって吸着され除去される。
【００２７】
第１コントロールバルブ２１は、第１濾過塔２０に対して流入又は流出する水の流路を制御する。ここで第１濾過塔２０に対して流入する水とは、原水Ｗ１や逆洗水Ｗ６である。第１濾過塔２０に対して流出する水とは、第１濾過処理水Ｗ２及び濾材洗浄時の逆洗水や濯ぎ水等である。第１コントロールバルブ２１は、第１濾過装置２の制御部と電気的に接続されている。第１コントロールバルブ２１は、制御部によって流路の切り換えが制御される。第１コントロールバルブ２１は、洗浄手段として機能する。
第１排水ラインＬ２２は、第１コントロールバルブ２１に接続され、濾材洗浄時の逆洗水や濾材水洗時の濯ぎ水等を系外に排出する。
【００２８】
第１濾過装置２の下流側には、第１処理水ラインＬ２が接続されている。第１処理水ラインＬ２の上流側の端部は、第１濾過装置２に接続されている。第１処理水ラインＬ２の下流側の端部は、第１給水タンク３に接続されている。
第１処理水ラインＬ２には、第１給水バルブＢ２が設けられている。第１給水バルブＢ２は、第１濾過装置２の制御部と電気的に接続されている。第１給水バルブＢ２は、第１濾過装置２によって開閉を制御される。
【００２９】
第１給水タンク３は、第１処理水ラインＬ２の下流側の端部に接続される。第１給水タンク３は、第１濾過装置２により製造された第１濾過処理水Ｗ２を貯留する。
第１逆洗水供給ラインＬ９は、第１給水タンク３に接続されている。第１逆洗水供給ラインＬ９は、第４接続点Ｊ４を介して、逆洗水第１供給ラインＬ８接続されている。第１給水タンク３は、第１逆洗水供給ラインＬ９を介して第１濾過処理水Ｗ２を、第１濾過装置２に供給する。第１濾過処理水Ｗ２は、逆洗水第１供給ラインＬ８において、処理水Ｗ５と混ざり、逆洗水Ｗ６として第１濾過装置２に供給される。
【００３０】
第１逆洗水供給ラインＬ９には、第１逆洗水供給ポンプＰ２が設けられている。第１逆洗水供給ポンプＰ２は、第１濾過装置２の制御部と電気的に接続されている。第１逆洗水供給ポンプＰ２は、第１濾過装置２によって運転を制御される。ここで運転とは、駆動、及び停止である。
【００３１】
第１給水タンク３の下流側には、第１処理水第２ラインＬ３が接続されている。第１処理水第２ラインＬ３の上流側の端部は、第１給水タンク３に接続されている。第１処理水第２ラインＬ３の下流側の端部は、第２濾過装置４に接続されている。
第１処理水第２ラインＬ３には、第２給水バルブＢ３が設けられている。第２給水バルブＢ３は、第２濾過装置４の制御部と電気的に接続されている。第２給水バルブＢ３は、第２濾過装置４によって開閉を制御される。
【００３２】
第２濾過装置４は、第１処理水第２ラインＬ３の下流側の端部に接続される。第２濾過装置４は、塔式濾過装置である。第２濾過装置４は、一例として、活性炭濾過装置である。
第２濾過装置４は、第１処理水第２ラインＬ３の下流側の端部に設けられる。第２濾過装置４は、第１濾過処理水Ｗ２から第２濾過処理水Ｗ３を製造する。第２濾過装置４は、逆洗水第２供給ラインＬ１０から供給される処理水Ｗ５により逆洗を行う。ここで、処理水Ｗ５は、第２給水タンク６から第２逆洗水供給ラインＬ１２を介して供給される。逆洗水第２供給ラインＬ１０は、第２接続点Ｊ２を介して第１処理水第２ラインＬ３に接続されている。
第２逆洗バルブＢ８は、逆洗水第２供給ラインＬ１０に設けられている。第２逆洗バルブＢ８は、逆洗水第２供給ラインＬ１０を開閉する。第２逆洗バルブＢ８は、第２濾過装置４の制御部と電気的に接続されている。第２逆洗バルブＢ８は、第２濾過装置４によって開閉を制御される。
【００３３】
第２濾過装置４は、第２濾過塔４０と、第２コントロールバルブ４１と、第２排水ラインＬ４２とを備える。
第２濾過塔４０には、濾材が充填されている。第２濾過装置４は、第２濾過塔４０に充填された濾材により、第１濾過処理水Ｗ２に含まれる懸濁物質と共に、有機物、色度成分及び臭気成分等の不純物を除去する。ここで、濾材とは、一例として粒子状又は繊維状の活性炭を用いた吸着材である。
【００３４】
第２コントロールバルブ４１は、第２濾過塔４０に対して流入又は流出する水の流路を制御する。ここで第２濾過塔４０に対して流入する水とは、第１濾過処理水Ｗ２や処理水Ｗ５である。第２濾過塔４０に対して流出する水とは、第２ろ過処理水Ｗ３及び濾材洗浄時の逆洗水や濯ぎ水等である。第２コントロールバルブ４１は、第２濾過装置４の制御部と電気的に接続されている。第２コントロールバルブ４１は、制御部によって流路の切り換えが制御される。第２コントロールバルブ４１は、洗浄手段として機能する。
第２排水ラインＬ４２は、第２コントロールバルブ４１に接続され、濾材洗浄時の逆洗水や濾材水洗時の濯ぎ水等を系外に排出する。
【００３５】
第２濾過装置４の下流側には、第２処理水ラインＬ４が接続されている。第２処理水ラインＬ４の上流側の端部は、第２濾過装置４に接続されている。第２処理水ラインＬ４の下流側の端部は、軟水装置５に接続されている。
第２処理水ラインＬ４には、第３給水バルブＢ４が設けられている。第３給水バルブＢ４は、第２濾過装置４の制御部と電気的に接続されている。第３給水バルブＢ４は、第２濾過装置４によって開閉を制御される。
【００３６】
軟水装置５は、第２処理水ラインＬ４の下流側の端部に設けられる。軟水装置５は、第２濾過処理水Ｗ３から軟水化処理水Ｗ４を製造する再生型水処理装置である。軟水装置５は、イオン交換装置の一種である。軟水装置５は、第２濾過処理水Ｗ３をナトリウム型の陽イオン交換体（不図示）に導入してイオン交換処理することにより、第２濾過処理水Ｗ３から硬度成分を除去して軟水化処理水Ｗ４を製造する。
軟水装置５が行う再生の工程は、逆洗、再生待機、塩水導入、押出、急速水洗、補水からなる。軟水装置５は、逆洗水第３供給ラインＬ１１から供給される処理水Ｗ５により逆洗を行う。ここで、処理水Ｗ５は、第２給水タンク６から第２逆洗水供給ラインＬ１２を介して供給される。逆洗水第３供給ラインＬ１１は、第３接続点Ｊ３を介して第２処理水ラインＬ４に接続されている。
第３逆洗バルブＢ９は、逆洗水第３供給ラインＬ１１に設けられている。第３逆洗バルブＢ９は、Ｌ１１を開閉する。第３逆洗バルブＢ９は、軟水装置５の制御部と電気的に接続されている。第３逆洗バルブＢ９は、軟水装置５によって開閉を制御される。
【００３７】
軟水装置５は、交換塔５０と、第３コントロールバルブ５１と、第３排水ラインＬ５２と、塩水ラインＬ５３と、塩水タンク５４とを備える。
交換塔５０は、内部に陽イオン交換体（不図示）を有する。
第３コントロールバルブ５１は、交換塔５０に対して流入又は流出する水（陽イオン交換体を再生する塩水、濯ぎ水等）の流路を制御する。第３コントロールバルブ５１は、軟水装置５の制御部と電気的に接続されている。第３コントロールバルブ５１は、軟水装置５の制御部によって流路切り換えが制御される。第３コントロールバルブ５１は、陽イオン交換体の再生時に、塩水タンク５４の塩水を交換塔５０に導入する。
【００３８】
第３排水ラインＬ５２は、第３コントロールバルブ５１に接続され、陽イオン交換体の再生後の塩水や陽イオン交換体の濯ぎ水等を系外に排出する。
塩水タンク５４は、再生剤としての塩水（塩化ナトリウム水溶液）を貯留する。塩水の
調製には、処理水Ｗ５が用いられる。塩水ラインＬ５３は、第３コントロールバルブ５１に接続される。塩水ラインＬ５３には、塩水タンク５４からの塩水が流通する。
【００３９】
軟水装置５の下流側には、第３処理水ラインＬ５が接続されている。第３処理水ラインＬ５の上流側の端部は、軟水装置５に接続されている。第３処理水ラインＬ５の下流側の端部は、第２給水タンク６に接続されている。
第３処理水ラインＬ５には、第４給水バルブＢ５が設けられている。第４給水バルブＢ５は、軟水装置５の制御部と電気的に接続されている。第４給水バルブＢ５は、軟水装置５によって開閉を制御される。
【００４０】
第２給水タンク６は、第３処理水ラインＬ５の下流側の端部に接続される。第２給水タンク６は、軟水装置５により供給される処理水Ｗ５を貯留する。
第２逆洗水供給ラインＬ１２は、第２給水タンク６に接続されている。第２逆洗水供給ラインＬ１２は、第６接続点Ｊ６を介して逆洗水第３供給ラインＬ１１と接続されている。第２逆洗水供給ラインＬ１２は、第５接続点Ｊ５を介して逆洗水第２供給ラインＬ１０と接続されている。第２逆洗水供給ラインＬ１２は、第４接続点Ｊ４を介して、逆洗水第１供給ラインＬ８と接続されている。
【００４１】
第２逆洗水供給ラインＬ１２には、第２逆洗水供給ポンプＰ３が設けられている。第２逆洗水供給ポンプＰ３は、第１濾過装置２、第２濾過装置４、及び軟水装置５の制御部と電気的に接続されている。第２逆洗水供給ポンプＰ３は、第１濾過装置２、第２濾過装置４、及び軟水装置５の各々によって運転を制御される。ここで運転とは、駆動、及び停止である。
【００４２】
第２給水タンク６の下流側には、処理水配給ラインＬ６が接続されている。処理水配給ラインＬ６の上流側の端部は、第２給水タンク６に接続されている。処理水配給ラインＬ６の下流側の端部は、ボイラ７に接続されている。
処理水配給ラインＬ６には、処理水配給ポンプＰ４が設けられている。処理水配給ポンプＰ４は、ボイラ７の制御部と電気的に接続されている。処理水配給ポンプＰ４は、ボイラ７によって運転を制御される。ここで運転とは、駆動、及び停止である。
【００４３】
ボイラ７は、処理水配給ラインＬ６を介して第２給水タンク６から供給される処理水Ｗ５を用いて稼働する。なお、ボイラ７は、稼働に伴い排出されるドレンを第２給水タンク６に回収させてもよい。ボイラ７から排出されるドレンが第２給水タンク６に回収される場合、ボイラ７の蒸気ライン（図示せず）と第２給水タンク６はドレンラインによって接続されてよい。
【００４４】
水処理システム１においては、再生型水処理装置（第１濾過装置２、第２濾過装置４、及び軟水装置５）が、塔式濾過装置やイオン交換樹脂を充填した塔式イオン交換装置である場合について説明したが、再生型水処理装置は膜濾過装置であってもよい。膜濾過装置とは、膜に堆積した汚れを逆洗により除去する濾過装置である。膜濾過装置の例には、ＭＦ膜濾過装置やＵＦ膜濾過装置がある。
【００４５】
次に、再生型水処理装置の構成について説明する。
図２は、本実施形態に係る再生型水処理装置Ｅ１の構成の一例を示す図である。再生型水処理装置Ｅ１及び再生型水処理装置Ｅ２は各々、図１における第１濾過装置２、第２濾過装置４、及び軟水装置５のいずれかに対応する。つまり、再生型水処理装置Ｅ１は、水処理装置群を構成する再生型水処理装置である。
ただし、図２においては、再生型水処理装置Ｅ１を除く複数の再生型水処理装置を代表させて再生型水処理装置Ｅ２としている。図１に示す水処理システム１においては、再生型水処理装置（第１濾過装置２、第２濾過装置４、及び軟水装置５）は相互に通信を行うが、図２においては、再生型水処理装置（第１濾過装置２、第２濾過装置４、及び軟水装置５）同士の通信のうち、再生型水処理装置Ｅ１と再生型水処理装置Ｅ２との通信について説明している。再生型水処理装置Ｅ１が第１濾過装置２に対応するときは、再生型水処理装置Ｅ２は、第２濾過装置４または軟水装置５である。再生型水処理装置Ｅ１が第２濾過装置４に対応するときは、再生型水処理装置Ｅ２は、第１濾過装置２または軟水装置５である。軟水装置５が再生型水処理装置Ｅ１に対応するときは、再生型水処理装置Ｅ２は、第１濾過装置２または第２濾過装置４に対応する。
【００４６】
再生型水処理装置Ｅ１は、送信部Ｅ１０と、受信部Ｅ１１と、記録部Ｅ１２と、制御部Ｅ１３とを備える。
送信部Ｅ１０は、再生型水処理装置Ｅ１の運転情報Ｅ１２０を再生型水処理装置Ｅ２に送信する。ここで、運転情報Ｅ１２０を送信するとは、運転情報Ｅ１２０を含む信号を送信することである。
受信部Ｅ１１は、再生型水処理装置Ｅ２の運転情報Ｅ２２０を受信する。ここで、運転情報Ｅ２２０を受信するとは、運転情報Ｅ２２０を含む信号を受信することである。
再生型水処理装置Ｅ１（第１濾過装置２、第２濾過装置４、及び軟水装置５）の運転情報Ｅ１２０は、再生型水処理装置Ｅ１の通信ＩＤを用いて通信される。ここで、通信ＩＤを用いる通信では、送信部Ｅ１０は通信ＩＤを含めた信号を送信し、受信部Ｅ１１は、送信部Ｅ１０が送信した信号を受信し、受信した信号に含まれる通信ＩＤを用いて送信部Ｅ１０を備える装置を特定する。
記録部Ｅ１２は、受信部Ｅ１１により受信された運転情報Ｅ２２０を記録する。ここで、再生型水処理装置Ｅ１の運転情報Ｅ１２０及び再生型水処理装置Ｅ２の運転情報Ｅ２２０は、優先順位情報と、装置種別情報と、再生工程情報と、を含む。優先順位情報は、再生型水処理装置間において再生の処理の優先順位を特定することが可能な情報である。再生型水処理装置Ｅ１の優先順位は、通信ＩＤに基づいて特定される。装置種別情報は、再生型水処理装置Ｅ１の種別が再生を行う装置であることを示す情報である。再生工程情報は、再生型水処理装置が再生を行うことを示す情報である。
なお、自装置の運転情報である運転情報Ｅ１２０は、記録部Ｅ１２に記録されずに、送信部Ｅ１０が運転情報Ｅ１２０するときに生成されてもよい。その場合、運転情報Ｅ１２０は、優先順位情報と、装置種別情報と、再生工程情報とから生成される。
再生型水処理装置Ｅ２は、送信部Ｅ２０と、受信部Ｅ２１と、記録部Ｅ２２と、制御部Ｅ２３とを備える。再生型水処理装置Ｅ２の各部の機能は再生型水処理装置Ｅ１の各部の機能と同様であるため説明を省略する。
【００４７】
運転情報１２０は、再生型水処理装置Ｅ１及び再生型水処理装置Ｅ２以外にも、水処理システム１を構成する全ての水処理装置毎に保持される。装置種別情報は、水処理装置が再生型水処理装置である場合に運転情報に含まれる。装置種別情報は、水処理装置が再生型水処理装置でない場合には運転情報に含まれない。水処理システムが給水装置を含む場合、給水装置の運転情報には装置種別情報は含まれない。
【００４８】
なお、本実施形態においては、装置種別情報は、水処理装置が再生型水処理装置でない場合には運転情報に含まれない場合について説明するが、装置種別情報は、水処理装置が再生型水処理装置以外である場合、この水処理装置の種別を示す情報として運転情報に含まれてもよい。例えば、装置種別情報は、水処理装置が給水装置である場合、給水装置を示す情報として運転情報に含まれてもよい。
【００４９】
ここで図３を参照し、運転情報について説明する。
図３は、本実施形態に係る運転情報の内容の一例を示す図である。図３では、１行目に第１濾過装置２の運転情報が示され、２行目に第２濾過装置４の運転情報が示され、３行目に軟水装置５の運転情報が示されている。
【００５０】
第１濾過装置２の運転情報は、第１濾過装置２の優先順位が１位であり、装置種別が「濾過装置」であることを示す。第１濾過装置２の運転情報は、再生工程情報を含み、第１濾過装置２が再生中であることを示す。
第２濾過装置４の運転情報は、第２濾過装置４の優先順位が３位であり、装置種別が「濾過装置」であることを示す。第２濾過装置４の運転情報は、再生工程情報を含まず、第２濾過装置４が再生中でないことを示す。
軟水装置５の運転情報は、優先順位が２位であり、装置種別が「軟水装置」であることを示す。軟水装置５の運転情報は、再生工程情報を含まず、軟水装置５が再生中でないことを示す。
【００５１】
優先順位情報が示す優先順位は、例えば、再生型水処理装置Ｅ１（第１濾過装置２、第２濾過装置４、及び軟水装置５）の通信ＩＤが示す番号や、再生型水処理装置Ｅ１（第１濾過装置２、第２濾過装置４、及び軟水装置５）の通信ＩＤを示す記号を昇順または降順に並べた場合の順番などに基づいて決定される。
なお、優先順位情報が示す優先順位は、通信ＩＤ以外の情報に基づいて決定されてもよい。優先順位情報が示す優先順位は、例えば、水処理システム１における再生型水処理装置Ｅ１（第１濾過装置２、第２濾過装置４、及び軟水装置５）の上流側から下流側への並び順に基づいて決定されてもよい。
また、優先順位情報が示す優先順位は、例えば、再生型水処理装置Ｅ１（第１濾過装置２、第２濾過装置４、及び軟水装置５）の種類による優先順位に基づいて決定されてもよい。再生型水処理装置Ｅ１（第１濾過装置２、第２濾過装置４、及び軟水装置５）の種類による優先順位に基づいて決定される場合、例えば、砂濾過装置の優先順位を、活性炭を用いた濾過装置の優先順位よりも高いと決定してもよい。
さらに、優先順位情報が示す優先順位は、再生型水処理装置Ｅ１（第１濾過装置２、第２濾過装置４、及び軟水装置５）の上流側から下流側への並び順と、再生型水処理装置Ｅ１（第１濾過装置２、第２濾過装置４、及び軟水装置５）の種類による優先順位とを組み合わせて決定されてもよい。
【００５２】
再生工程情報は、再生型水処理装置Ｅ１（第１濾過装置２、第２濾過装置４、及び軟水装置５）が行う工程に応じて更新される。再生工程情報は、再生型水処理装置Ｅ１（第１濾過装置２、第２濾過装置４、及び軟水装置５）が行う工程が、待機の工程または通水の工程である場合、運転情報Ｅ１２０から消去される。再生工程情報は、再生型水処理装置Ｅ１（第１濾過装置２、第２濾過装置４、及び軟水装置５）が行う工程が、再生の工程である場合、運転情報Ｅ１２０に加えられる。
再生工程情報が運転情報Ｅ１２０から消去された場合、送信部Ｅ１０は、運転情報Ｅ１２０を、優先順位情報と、装置種別情報との組として送信する。再生工程情報が運転情報Ｅ１２０に加えられた場合、送信部Ｅ１０は、運転情報Ｅ１２０を、優先順位情報と、装置種別情報と、再生工程情報との組として送信する。
【００５３】
図２に戻り再生型水処理装置の構成の説明を続ける。
制御部Ｅ１３は、判定部Ｅ１３０と、再生工程制御部Ｅ１３１とを備える。
判定部Ｅ１３０は、自装置が再生を開始することが可能である条件が成立したときに、記録部Ｅ１２に記録された再生型水処理装置Ｅ２の運転情報Ｅ２２０に再生工程情報が含まれる場合、自装置の優先順位と再生型水処理装置Ｅ２の運転情報Ｅ２２０に含まれる優先順位情報により特定される優先順位とに基づいて、自装置の優先順位が再生を許容される順位であるか否かを判定する。
判定部Ｅ１３０は、装置種別情報が含まれる運転情報に基づいて判定を行う。つまり、判定部Ｅ１３０は、水処理システム１を構成する装置のうち、再生型水処理装置以外の運転情報は判定に用いない。
【００５４】
ここで、再生型水処理装置Ｅ１が再生を開始することが可能である条件とは、流量や時刻に基づいて定められる条件である。流量とは、再生型水処理装置Ｅ１が被処理水を通水し処理水とした被処理水の流量である。または、流量とは処理水の流量である。時刻とは、再生型水処理装置Ｅ１が再生を開始するために予め定められる時刻である。ただし本実施形態では、ある再生型水処理装置が再生起動状態となりかつ当該ある再生型水処理装置の優先順位の条件が満たされるときに、再生が行われる。ここで再生起動状態とは、再生型水処理装置が再生を開始する条件である再生開始条件を満たしている状態である。ある再生型水処理装置が再生起動状態となった場合、自装置が再生せずに他の再生型水処理装置が再生を開始した場合においても、当該他の再生型水処理装置の再生中も自装置の再生起動状態は継続する。
再生開始条件は、例えば、再生型水処理装置Ｅ１が被処理水を通水し処理水とした被処理水または処理水の流量が所定の量以上となることである。別の一例として、再生開始条件は、再生型水処理装置Ｅ１が再生を開始するために予め定められる時刻が到来することであってもよい。別の一例として、再生開始条件は、通水時間が所定の長さ以上となることであってもよい。別の一例として、再生開始条件は、処理水の水質（濁度や硬度）を表す値が所定の閾値以上となることであってもよい。ここで水質を表す値は、大きくなるほど水質が劣化したことを表す。
【００５５】
再生工程制御部Ｅ１３１は、判定部Ｅ１３０の判定結果に応じて再生を開始するか否かを制御する。再生工程制御部Ｅ１３１は、判定部Ｅ１３０により自装置の優先順位が再生を許容される順位であると判定された場合には再生を開始し、判定部Ｅ１３０により自装置の優先順位が再生を許容される順位ではないと判定された場合には再生を開始しない。
【００５６】
次に図４、図５を用いて、再生型水処理装置同士が通信を行うためのネットワーク配線について説明する。
図４は、本実施形態に係るネットワーク配線の第１例を示す図である。本実施形態においては、再生型水処理装置同士は直列に接続される。図４に示す例では、第１濾過装置２、第２濾過装置４、及び軟水装置５の順において直列に接続されている。第１濾過装置２と、第２濾過装置４と、軟水装置５とは、ケーブルを用いて直列に接続され、有線ローカル・エリア・ネットワーク（ＬＡＮ：Ｌｏｃａｌ  Ａｒｅａ  Ｎｅｔｗｏｒｋ）を形成する。
【００５７】
図５は、本実施形態に係るネットワーク配線の第２例を示す図である。図５に示す例では、第１濾過装置２、軟水装置５、及び第２濾過装置４の順において直列に接続されている。
【００５８】
なお、本実施形態においては、再生型水処理装置同士が直列に接続される場合について説明しているが、再生型水処理装置同士は直列に接続されていなくてもよい。例えば、再生型水処理装置同士は、並列に接続されてもよい。再生型水処理装置同士は、直列と並列との接続を混在させて接続されてもよい。
また、本実施形態においては、再生型水処理装置同士は有線のネットワークにより通信を行う場合について説明しているが、再生型水処理装置同士は無線のネットワークにより通信を行ってもよい。
【００５９】
図６は、本実施形態に係る運転情報Ｅ１２０のデータの流れの一例を示す図である。図６では、第１濾過装置２は、自装置の運転情報Ｅ１２０として運転情報ＳＩ２を保持している。運転情報ＳＩ２は、優先順位情報ＳＩ２０と、装置種別情報ＳＩ２１と、再生工程情報ＳＩ２２とを含む。第２濾過装置４は、自装置の運転情報Ｅ１２０として運転情報ＳＩ４を保持している。運転情報ＳＩ４は、優先順位情報ＳＩ４０と、装置種別情報ＳＩ４１と、再生工程情報ＳＩ４２とを含む。軟水装置５は、自装置の運転情報Ｅ１２０として運転情報ＳＩ５を保持している。運転情報ＳＩ５は、優先順位情報ＳＩ５０と、装置種別情報ＳＩ５１と、再生工程情報ＳＩ５２とを含む。
【００６０】
図６では、再生型水処理装置Ｅ１（第１濾過装置２、第２濾過装置４、及び軟水装置５）が図４に示すネットワーク配線により接続されている場合について運転情報Ｅ１２０のデータの流れを説明する。
第１濾過装置２は、運転情報ＳＩ２を、第２濾過装置４及び軟水装置５に送信する。運転情報ＳＩ２は、第２濾過装置４を経由して、軟水装置５に送信される。
第２濾過装置４は、運転情報ＳＩ４を、第１濾過装置２及び軟水装置５に送信する。
軟水装置５は、運転情報ＳＩ５を、第１濾過装置２及び第２濾過装置４に送信する。運転情報ＳＩ５は、第２濾過装置４を経由して第１濾過装置２に送信される。
【００６１】
一例として、再生型水処理装置Ｅ１（第１濾過装置２、第２濾過装置４、及び軟水装置５）は、所定の時間間隔毎に自装置の運転情報Ｅ１２０を、他の再生型水処理装置Ｅ２に送信してもよい。他の一例として、再生型水処理装置Ｅ１（第１濾過装置２、第２濾過装置４、及び軟水装置５）は、自装置の運転情報Ｅ１２０が更新された場合に、自装置の運転情報Ｅ１２０を、他の再生型水処理装置Ｅ２に送信してもよい。
【００６２】
図７を参照して再生型水処理装置Ｅ１の処理について説明する。
図７は、本実施形態に係る再生型水処理装置Ｅ１の処理の一例を示す図である。図７に示す処理は、水処理システム１の運用が開始された場合に、再生型水処理装置Ｅ１により常時実行される。
【００６３】
ステップＳ１００：判定部Ｅ１３０は、自装置が再生起動状態であるか否かを判定する。判定部Ｅ１３０は、自装置が再生起動状態であると判定した場合（ステップＳ１００：ＹＥＳ）、ステップＳ１０１の処理を実行する。一方、判定部Ｅ１３０は、自装置が再生起動状態でないと判定した場合（ステップＳ１００：ＮＯ）、判定部Ｅ１３０は処理を終了する。
なお、ステップＳ１００において再生型水処理装置Ｅ１が再生起動状態となった後、再生の工程が完了するまで再生起動状態は継続して成立する。
【００６４】
ステップＳ１０１：判定部Ｅ１３０は、他の再生型水処理装置Ｅ２の運転情報Ｅ２２０に再生工程情報が含まれるか否かを判定する。判定部Ｅ１３０は、記録部Ｅ１２に記憶された他の再生型水処理装置Ｅ２の運転情報Ｅ２２０に再生工程情報が含まれると判定した場合（ステップＳ１０１：ＹＥＳ）、ステップＳ１０２の処理を実行する。一方、判定部Ｅ１３０は、他の再生型水処理装置Ｅ２の運転情報Ｅ２２０に再生工程情報が含まれないと判定した場合（ステップＳ１０１：ＮＯ）、ステップＳ１０４の処理を実行する。
【００６５】
ステップＳ１０２：判定部Ｅ１３０は、自装置の優先順位が再生を許容される順位であるか否かを判定する。つまり、判定部Ｅ１３０は、自装置が再生を開始することが可能である条件が成立したときに、記録部Ｅ１２に記録された再生型水処理装置Ｅ２の運転情報Ｅ２２０に再生工程情報が含まれる場合、自装置である再生型水処理装置Ｅ１の優先順位と再生型水処理装置Ｅ２の運転情報Ｅ２２０に含まれる優先順位情報とにより特定される優先順位に基づいて、自装置の優先順位が再生を許容される順位であるか否かを判定する。
ここで、判定部Ｅ１３０は、同時に再生を行うことが可能な装置の最大数と、自装置の優先順位と、記録部Ｅ１２に記録された再生型水処理装置Ｅ２の運転情報Ｅ２２０に含まれる優先順位情報とにより特定される優先順位に基づいて、優先順位が高い方から低い方に向かって最大数までに自装置の優先順位が含まれるときに、自装置の優先順位が再生を許容される順位であると判定する。
【００６６】
同時に再生を行うことが可能な装置の最大数は、第１給水タンク３が貯留できる水の量、及び第２給水タンク６が貯留できる水の量に応じて決定されてよい。同時に再生を行うことが可能な装置の最大数は、例えば１台である。同時に再生を行うことが可能な装置の最大数は、第２逆洗水供給ポンプＰ３が供給可能な最大流量に応じて決定されてもよい。
また、同時に再生を行うことが可能な装置の最大数は、予め決定されていなくてもよい。例えば、判定部Ｅ１３０は、同時に再生を行うことが可能な装置の最大数を、第１給水タンク３の貯水量、及び第２給水タンク６の貯水量に応じて判定してもよい。その場合、水処理システム１の運用の開始後に、第１給水タンク３または第２給水タンク６が貯水量が変化すると、同時に再生を行うことが可能な装置の最大数は変更される。
【００６７】
判定部Ｅ１３０は、自装置の優先順位が再生を許容される順位であると判定した場合（ステップＳ１０２：ＹＥＳ）、ステップＳ１０３の処理を実行する。一方、自装置の優先順位が再生を許容される順位でないと判定した場合（ステップＳ１０２：ＮＯ）、判定部Ｅ１３０は、ステップＳ１０５の処理を実行する。
【００６８】
ステップＳ１０３：再生工程制御部Ｅ１３１は、自装置が再生中でないかを判定する。再生工程制御部Ｅ１３１は、自装置が再生中でないと判定した場合（ステップＳ１０３：ＹＥＳ）、ステップＳ１０４の処理を実行する。一方、自装置が再生中であると判定した場合（ステップＳ１０３：ＮＯ）、再生工程制御部Ｅ１３１は処理を終了する。つまり、再生工程制御部Ｅ１３１は再生を継続する。
【００６９】
ステップＳ１０４：再生工程制御部Ｅ１３１は、再生を開始する。つまり、再生工程制御部Ｅ１３１は、判定部Ｅ１３０により自装置の優先順位が再生を許容される順位であると判定され、かつ自装置が再生中でない場合には再生を開始する。その後、再生工程制御部Ｅ１３１は処理を終了する。
【００７０】
ステップＳ１０５：再生工程制御部Ｅ１３１は、自装置が再生中であるかを判定する。再生工程制御部Ｅ１３１は、自装置が再生中であると判定した場合（ステップＳ１０５：ＹＥＳ）、ステップＳ１０６の処理を実行する。一方、自装置が再生中でないと判定した場合（ステップＳ１０５：ＮＯ）、処理を終了する。つまり、再生工程制御部Ｅ１３１は、判定部Ｅ１３０により自装置の優先順位が再生を許容される順位ではないと判定された場合（ステップＳ１０２：ＮＯ）には再生を開始しない。
【００７１】
ステップＳ１０６：再生工程制御部Ｅ１３１は、再生を中止する。その後、再生工程制御部Ｅ１３１は処理を終了する。
つまり、判定部Ｅ１３０は、自装置である再生型水処理装置Ｅ１が再生工程を行っているときに、記録部Ｅ１２に記録された再生型水処理装置Ｅ２の運転情報Ｅ２２０に再生工程情報が含まれる場合、自装置の優先順位と再生型水処理装置Ｅ２の運転情報Ｅ２２０に含まれる優先順位情報とにより特定される優先順位に基づいて、自装置の優先順位が再生を許容される順位であるか否かを判定する（ステップＳ１０２）。自装置が再生中の場合には、判定部Ｅ１３０により自装置の優先順位が再生を許容される順位ではないと判定されたことによって、再生工程制御部Ｅ１３１は再生を中止する（ステップＳ１０６）。
なお、再生型水処理装置Ｅ１は、再生を中止した場合であっても、図７において説明した処理に基づいて再生が可能である場合、再生を再開する。再生型水処理装置Ｅ１は、再生を再開すると、再生の工程が完了するまで再生を行う。
【００７２】
以上に説明したように、本実施形態に係る再生型水処理装置Ｅ１は、水処理システムを構成する再生型水処理装置であって、送信部Ｅ１０と、受信部Ｅ１１と、記録部Ｅ１２とを備える。
送信部Ｅ１０は、自装置の運転情報Ｅ１２０を他の再生型水処理装置（再生型水処理装置Ｅ２）に送信する。
受信部Ｅ１１は、他の再生型水処理装置（再生型水処理装置Ｅ２）の運転情報Ｅ２２０を受信する。
記録部Ｅ１２は、受信部Ｅ１１により受信された運転情報Ｅ２２０を記録する。
運転情報Ｅ２２０は、再生を行うことを示す情報である再生工程情報と、優先順位を特定することが可能な情報である優先順位情報と、を含む。
【００７３】
この構成により、本実施形態に係る水処理システム１では、自装置の再生の優先順位と、他の再生型水処理装置が再生しているか否かとを把握することができるため、複数の再生型水処理装置を備える水処理システムにおいて、水処理システムを構成する装置の洗浄動作や再生動作に入るタイミングを一括して制御する制御装置を別途設けることなく、複数の再生型水処理装置間で再生動作の重複を起こさずに複数の再生型水処理装置の再生動作を制御することができる。そのため、本実施形態に係る水処理システム１では、複数の再生型水処理装置の構成に応じた制御装置の設計にかかる時間と労力を省くことができ、また、再生型水処理装置の増設や交換の際に制御装置の改修を不要とすることができる。したがって、本実施形態に係る水処理システム１では、システムのコストを抑制しつつ処理水量の供給不足や排水の能力不足を軽減でき、安定した水処理を可能とすることができる。
【００７４】
また、本実施形態に係る再生型水処理装置Ｅ１は、判定部Ｅ１３０と、再生工程制御部Ｅ１３１とを備える。
判定部Ｅ１３０は、自装置が再生を開始することが可能である条件が成立したときに、記録部Ｅ１２に記録された他の再生型水処理装置（再生型水処理装置Ｅ２）の運転情報Ｅ２２０に再生工程情報が含まれる場合、自装置の優先順位と他の再生型水処理装置（再生型水処理装置Ｅ２）の運転情報Ｅ２２０に含まれる優先順位情報により特定される優先順位とに基づいて、自装置の優先順位が再生を許容される順位であるか否かを判定する。
再生工程制御部Ｅ１３１は、判定部Ｅ１３０により自装置の優先順位が再生を許容される順位であると判定された場合には再生を開始し、判定部Ｅ１３０により自装置の優先順位が再生を許容される順位ではないと判定された場合には再生を開始しない。
【００７５】
この構成により、本実施形態に係る水処理システム１では、再生を行うことができない場合に、再生型水処理装置Ｅ１が再生を行うことを防ぐことができる。
【００７６】
また、本実施形態に係る再生型水処理装置Ｅ１の判定部Ｅ１３０は、同時に再生を行うことが可能な装置の最大数と、自装置の優先順位と、記録部Ｅ１２に記録された他の再生型水処理装置（再生型水処理装置Ｅ２）の運転情報Ｅ２２０に含まれる優先順位情報とにより特定される優先順位に基づいて、優先順位が高い方から低い方に向かって最大数までに自装置の優先順位が含まれるときに、自装置の優先順位が再生を許容される順位であると判定する。
この構成により、水処理システム１では、同時に再生を行うことが可能な装置の最大数を超えて再生型水処理装置Ｅ１が再生を行うことを防ぐことができる。
【００７７】
また、本実施形態に係る再生型水処理装置Ｅ１の判定部Ｅ１３０は、自装置が再生工程を行っているときに、記録部Ｅ１２に記録された他の再生型水処理装置（再生型水処理装置Ｅ２）の運転情報Ｅ２２０に再生工程情報が含まれる場合、自装置の優先順位と他の再生型水処理装置（再生型水処理装置Ｅ２）の運転情報Ｅ２２０に含まれる優先順位情報とにより特定される優先順位に基づいて、自装置の優先順位が再生を許容される順位であるか否かを判定する。
再生工程制御部Ｅ１３１は、判定部により自装置の優先順位が再生を許容される順位ではないと判定された場合には再生を中止する。
この構成により、本実施形態に係る水処理システム１では、同時に再生を行うことが可能な装置の最大数を超えて再生型水処理装置Ｅ１が再生を行うことを防ぐことができる。
【００７８】
また、本実施形態に係る運転情報Ｅ１２０及び運転情報Ｅ２２０は、再生型水処理装置の種別が再生を行う装置であることを示す情報である装置種別情報をさらに含む。
判定部Ｅ１３０は、装置種別情報が含まれる運転情報Ｅ２２０に基づいて判定を行う。
この構成により、水処理システム１では、再生型水処理装置Ｅ１は、水処理システム１を構成する水処理装置群のうち再生型水処理装置以外の水処理装置から受信する運転情報と、再生型水処理装置から受信する運転情報Ｅ２２０とを区別することができる。
【００７９】
また、本実施形態に係る再生型水処理装置Ｅ１の運転情報Ｅ１２０は、再生型水処理装置Ｅ１の通信ＩＤを用いて通信される。再生型水処理装置Ｅ１の優先順位は、通信ＩＤに基づいて特定される。
この構成により、本実施形態に係る水処理システム１では、再生型水処理装置に再生の優先順位に通信ＩＤを利用することができる。
【００８０】
また、本実施形態に係る再生型水処理装置Ｅ１は、軟水装置又は塔式濾過装置である。
この構成により、水処理システム１では、軟水装置又は塔式濾過装置を利用することができる。
【００８１】
なお、上述した実施形態においては、再生型水処理装置Ｅ１が優先順位に基づいた判定結果により自ら再生を中止する（ステップＳ１０６）場合を説明したが、再生工程制御部Ｅ１３１が再生を中止する条件はこれに限らない。再生型水処理装置Ｅ１は、他の再生型水処理装置（再生型水処理装置Ｅ２）による判定結果に基づいて再生を中止してもよい。
例えば、再生型水処理装置Ｅ１は、再生中止信号を他の再生型水処理装置（再生型水処理装置Ｅ２）から受信した場合、再生を中止してもよい。ここで再生中止信号とは、再生を中止することを示す信号である。再生中止信号は、再生型水処理装置Ｅ２が自装置の優先順位が再生を許容される順位であると判定した場合、優先順位が再生を許容されない他の再生型水処理装置（再生型水処理装置Ｅ１）に送信される。
【００８２】
なお、上述した実施形態における再生型水処理装置Ｅ１の一部、例えば、制御部Ｅ１３をコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、再生型水処理装置Ｅ１に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
また、上述した実施形態における再生型水処理装置Ｅ１の一部、または全部を、ＬＳＩ（Ｌａｒｇｅ  Ｓｃａｌｅ  Ｉｎｔｅｇｒａｔｉｏｎ）等の集積回路として実現してもよい。再生型水処理装置Ｅ１の各機能ブロックは個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【００８３】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００８４】
１…水処理システム、２…第１濾過装置、３…第１給水タンク、４…第２濾過装置、５…軟水装置、６…第２給水タンク、７…ボイラ、Ｅ１、Ｅ２…再生型水処理装置、Ｅ１０、Ｅ２０…送信部、Ｅ１１、Ｅ２１…受信部、Ｅ１２、Ｅ２２…記録部、Ｅ１２０、Ｅ２２０…運転情報、Ｅ１３、Ｅ２３…制御部、Ｅ１３０、Ｅ２３０…判定部、Ｅ１３１、Ｅ２３１…再生工程制御部、ＳＩ２、ＳＩ４、ＳＩ５…運転情報、ＳＩ２０、ＳＩ４０、ＳＩ５０…優先順位情報、ＳＩ２１、ＳＩ４１、ＳＩ５１…装置種別情報、ＳＩ２２、ＳＩ４２、ＳＩ５２…再生工程情報
【図１】
2019115885.tif 000003
【図２】
2019115885.tif 000004
【図３】
2019115885.tif 000005
【図４】
2019115885.tif 000006
【図５】
2019115885.tif 000007
【図６】
2019115885.tif 000008
【図７】
2019115885.tif 000009